(57)【要約】【課題】従来、ダウンロードされた楽曲やメモリーカードに保存された楽曲をステレオ再生することが記載されているが、通話音声はモノラルしかサポートされておらず、ステレオ音声で臨場感ある通話をすることができなかった。本発明は、ステレオ音声で通話可能とする携帯電話を提供することを目的とする。【解決手段】他の情報処理端末と音声通信可能な携帯電話端末であって、複数の通話用の音声出力手段と、該他の情報処理端末の複数の音声入力手段より入力された音声信号を受信する受信手段と、該受信手段により受信された該音声信号を該複数の通話用の音声出力手段で出力するように制御する制御手段を有するように構成すればよい。【選択図】　図１
2004056408.tif 000002
【特許請求の範囲】
【請求項１】
他の情報処理端末と音声通信可能な携帯電話端末であって、
通話用の複数の音声出力手段と、
該他の情報処理端末の複数の音声入力手段より入力された音声信号を受信する受信手段と、
該受信手段により受信された該音声信号を該複数の通話用の音声出力手段で出力するように制御する制御手段を有することを特徴とする携帯電話端末。
【請求項２】
請求項１記載の携帯電話端末において、
前記複数の通話用の音声出力手段が３個以上であり、そのうち少なくとも１つはモノラル形式の音声信号を出力するために設けられたことを特徴とする携帯電話端末。
【請求項３】
請求項２記載の携帯電話端末において、
前記受信手段により受信された音声信号を前記音声出力手段により出力する際の音声形式としてステレオ形式又はモノラル形式のいずれかを選択する選択手段を設けたことを特徴とする携帯電話端末。
【請求項４】
請求項２又は３記載の携帯電話端末において、
前記制御手段は、前記受信手段により受信された前記他の情報処理端末の複数の音声入力手段より入力された音声信号を前記モノラル形式で出力する場合に、前記複数の音声入力手段より入力された音声信号のうちいずれかの音声入力手段により入力された音声信号を出力するか、もしくは前記複数の音声入力手段より入力された音声信号を合成して出力するように制御することを特徴とする携帯電話端末。
【請求項５】
請求項１記載の携帯電話端末において、
前記他の情報処理端末の複数の音声入力手段が左右両側に配置され、かつ前記複数の通話用の音声出力手段が表示部の左右両側に配置され、
前記制御手段は、前記受信手段により受信した前記他の情報処理端末の右側の音声入力手段から入力された音声信号を該携帯電話端末の左側の音声出力手段から出力し、前記受信手段により受信した前記他の情報処理端末の左側の音声入力手段から入力された音声信号を該携帯電話端末の右側の音声出力手段から出力するように制御することを特徴とする携帯電話端末。
【請求項６】
請求項１記載の携帯電話端末において、
前記受信手段により受信された該音声信号を伸張する伸張手段を有することを特徴とする携帯電話端末。
【請求項７】
他の情報処理端末と音声通信可能な携帯電話端末であって、
音声信号を入力する複数の音声入力手段と、
該複数の音声入力手段より入力された音声信号を圧縮する圧縮手段と、
該圧縮手段により圧縮された音声信号を該他の情報処理端末に送信するように制御する制御手段とを備えたことを特徴とする携帯電話端末。
【請求項８】
請求項７記載の携帯電話端末において、
前記制御手段は、前記複数の音声入力手段により入力された音声信号をモノラル形式に変換するように制御することを特徴とする携帯電話端末。
【請求項９】
テレビ電話モード又は通常通話モードの通話モードに設定する設定手段と、
複数の通話用の音声出力手段と、
他の情報処理端末の複数の音声入力手段より入力された音声信号を受信する受信手段と、
該受信手段により受信された該音声信号を伸張する伸張手段と、
該設定手段により設定された通話モードがテレビ電話モードである場合に該伸張手段により伸張された音声信号を該複数の通話用の音声出力手段によりステレオ形式で出力するように制御する制御手段を設けたことを特徴とする携帯電話　端末。
【請求項１０】
請求項１記載の携帯電話端末において、
前記制御手段は、前記音声出力手段を用いて、ネットワークを介して受信されたもしくは予め記憶された音楽に関するデータを再生するように制御することを特徴とする携帯電話端末。
【請求項１１】
請求項１０記載の携帯電話端末において、
前記携帯電話端末はヒンジ部を介して折り畳み可能な端末であり、前記複数の音声出力手段の音孔を筐体の側面に位置させたことを特徴とする携帯電話端末。
【請求項１２】
他の情報処理端末と音声通信可能な携帯電話端末であって、
複数の通話用のスピーカーと、
音声信号を入力する複数のマイクロホンと、
該マイクロホンより入力された音声信号を圧縮する圧縮手段と、
該圧縮手段により圧縮された音声信号を該他の情報処理端末に送信する送信手段と、
該他の情報処理端末より音声信号を受信する受信手段と、
該受信手段により受信された音声信号を伸張する伸張手段と、
該伸張手段により伸張された音声信号を該スピーカーで再生するように制御する制御手段と、
該携帯電話端末と人体との距離を検出する距離検出手段とを備え、
該制御手段は、該距離検出手段により測定された距離に応じて通話モード又は通話形式を切り換えることを特徴とすることを特徴とする携帯電話端末。
【請求項１３】
請求項１２記載の携帯電話端末において、
前記制御手段は、前記距離検出手段により測定された距離が設定値未満と判定された場合に通話モードを通常通話モードとし、前記距離検出手段により測定された距離が設定値以上と判定された場合に通話モードをテレビ電話モードに設定することを特徴とする携帯電話端末。
【請求項１４】
請求項１３記載の携帯電話端末において、
前記設定値を変更できるようにしたことを特徴とする携帯電話端末。
【請求項１５】
請求項１乃至１４いずれかに記載の携帯電話端末において、
前記音声出力手段又はスピーカーが、コネクタ部もしくはスライダを介して可動にしたことを特徴とする携帯電話端末。
【請求項１６】
請求項１乃至１４いずれかに記載の携帯電話端末において、
前記音声出力手段又はスピーカーが、着脱口を介して着脱可能であることを特徴とする携帯電話端末。
【請求項１７】
請求項１乃至１４いずれかに記載の携帯電話端末において、
表示画面を有する第１の筐体と操作部を有する第２の筐体とがヒンジ部で折り畳み可能な携帯電話端末であり、
前記複数の音声出力手段又はスピーカーのうち少なくとも一つが第１の筐体に備わり、前記複数の音声出力手段又はスピーカーのうち少なくとも一つが第２の筐体に備わっていることを特徴とする携帯電話端末。
【請求項１８】
他の情報処理端末と音声通信可能な携帯電話端末であって、
通話時の音声を出力する第１及び第２の出力手段と、
該他の情報処理端末よりＲデータ及びＬデータを有する音声信号を受信した場合に、受信された音声信号のＲデータを該第１の出力手段に出力し、受信された音声信号のＬデータを該第２の出力手段に出力するように制御する制御手段を有することを特徴とする携帯電話端末。
【発明の詳細な説明】
【０００１】
【発明の属する技術分野】
本発明は、携帯電話端末、例えば、携帯電話、ＰＨＳ、ＰＤＡ（Ｐｅｒｓｏｎａｌ　Ｄｉｇｉｔａｌ　Ａｓｓｉｓｔａｎｔ）もしくはＰＣＳ　（Ｐｅｒｓｏｎａｌ　Ｃｏｍｍｕｎｉｃａｔｉｏｎｓ　Ｓｅｒｖｉｃｅｓ）等の通話に係るものである。
【０００２】
【従来の技術】
現在、ダウンロードされた楽曲やメモリーカードに保存された楽曲をステレオ再生する技術が開発されている。例えば、特開２００２−１１８６４２号公報に当該技術が記載されている。
【０００３】
【発明が解決しようとする課題】
しかしながら、上記従来技術では、通話音声はモノラルしかサポートされておらず、ステレオ音声で臨場感ある通話をすることについて十分に検討されていない。特に、テレビ電話等での臨場感あふれた会話については十分に検討されてない。
【０００４】
そこで、本発明は、テレビ電話等において、臨場感ある通話を可能とする携帯電話端末を提供することを目的とする。
【０００５】
【課題を解決するための手段】
本発明は、上記目的を達成するため、特許請求の範囲に記載されたように構成したものである。ここで、音楽に関するデータとは、例えば、着信メロディ、ＭＰ３ファイル、映画、音楽、ゲーム、テレビ番組、コマーシャル、広告、もしくはデジタルカメラ等で撮影された画像情報（動画・静止画）等を意味し、他の情報処理端末とは、例えば、携帯電話、ＰＨＳ、ＰＤＡ（Ｐｅｒｓｏｎａｌ　Ｄｉｇｉｔａｌ　Ａｓｓｉｓｔａｎｔ）、ＰＣＳ　（Ｐｅｒｓｏｎａｌ　Ｃｏｍｍｕｎｉｃａｔｉｏｎｓ　Ｓｅｒｖｉｃｅｓ）もしくはＰＣ等である。
【０００６】
【発明の実施の形態】
本発明の第１の実施例について説明する。ここでは、ステレオ音声で通話可能な携帯電話について説明する。以下、図面において、同一の構成部については同符号を用いる。
【０００７】
図１（１）は、本実施例の携帯電話の構成ブロック図、図１（２）は、本実施例の携帯電話の画面正面図の１例である。以下、図１（３）に示すように、画面を正面に見て方向（上下左右）を定義する。また、図１（４）は、本実施例の携帯電話の背面図の１例である。
【０００８】
まず、音声に係る構成について説明する。マイクロホン１０１は、携帯電話の筐体に組み込まれたステレオ対応のマイクロホンであり、ここでは２個備わっているものとし、１つのマイクロホンより入力された音声信号をＲデータ、他方のマイクロホンで入力された音声信号をＬデータとする。マイクロホン１０１は、例えば、図１（２）の如く、操作キー１１０より下部においてそれぞれ左右に配置される。左右の間隔はある程度空けられている方が広範囲の音を拾うことができるため好ましい。
【０００９】
音声データ圧縮部１０２は、マイクロホン１０１により入力されたＲデータ及びＬデータをデジタル信号に変換して圧縮し、圧縮された音声信号Ｒ’データ及びＬ’データをＣＰＵ１０６に対して出力する。そして、ＣＰＵ１０６は、入力されたＲ’データ及びＬ’データをＲＦユニット１０７を介して通信相手に送信する処理を行う。
【００１０】
一方、受信したＲ’データ及びＬ’データは、音声データ伸張部１０３においてＲデータ及びＬデータに伸張され、通話対応のスピーカー１０４（以下「ステレオスピーカー」）もしくはヘッドホンジャック１０５に出力される。ここでは、ステレオスピーカー１０４が２個備わっているものとし、例えば、図１（２）の如く、表示部１０８より上部にそれぞれ左右に配置されている。これにより、マイクロホン１０１より入力されたデータが、ステレオ形式で出力可能となり、後述するテレビ電話モード等において臨場感あふれた通話を楽しむことができる。すなわち、２系統（Ｒ，Ｌ）の入力を受信可能とし、それぞれの系統をそれぞれ別個のスピーカーを介したステレオ形式での出力を実現することができる。
【００１１】
一方、携帯電話を耳の近傍に持っていき通話を行う場合、ステレオスピーカー１０４により音声信号が再生されると耳とスピーカーとが１対１に対応しないこともあって、違和感や聞きづらさを感じる恐れがある。そうした場合はステレオスピーカー１０４とは別に設けられたモノラル再生用に備え付けられたスピーカー２０１（以下「モノラルスピーカー」）を用いることが望ましい。この場合は、受信した音声信号がステレオ形式の２系統の音声であるため、モノラルスピーカー２０１からＲデータもしくはＬデータの一方を出力するか、ＲデータとＬデータとから合成したデータを出力するように制御される。
【００１２】
他方、テレビ電話等の表示部１０８を見ながら通話する場合は、違和感や聞きづらさを感じる恐れが少ないため、前述したステレオスピーカー１０４を２個用いるだけでなくモノラルスピーカー２０１を含めた３個のスピーカーを通話用として用いてもよい。この場合、例えば、ＣＰＵ１０６は、マイクロホン１０１より入力され圧縮されたＲ’データ及びＬ’データをそれぞれステレオスピーカー１０４へ出力し、Ｒ’データとＬ’データを組み合わせたデータ（例　Ｒ’　＋Ｌ’）をモノラルスピーカー２０１に出力する。これにより、３個のスピーカーで音声信号を出力することができるため、更なる臨場感あふれた通話が期待できる。
【００１３】
次に、楽曲用スピーカー２０３は、メモリ１０９に記憶された着信メロディ　や音楽ファイル等を再生するためのスピーカーである。ここでは、楽曲用スピーカー２０３も２個備わっているものとし、折り畳み式の携帯電話で閉じた状態でも音がよく聞こえるように、例えば、図１（４）のように筐体背面から音声信号が出力されるように構成される。これにより、閉じた状態であっても、着信通知音やＭＰ３等で圧縮された音楽ファイルを楽曲データ伸張部２０４において伸張し、ステレオ形式で再生することが可能となる。なお、通話時の音声か音楽ファイルかはＣＰＵ１０６にて判断され、必要なスピーカーが選択される。
【００１４】
更にまた、図１の構成では、５個のスピーカーを備えているが、これら５個のスピーカー全てを通話用に用いるようにしてもよいし、音楽ファイル等の楽曲用に用いるようにしても構わない。この場合、例えば、ＣＰＵ１０６は、ＲＦユニット１０７を介して受信した音声信号あるいはメモリ１０９に記憶された音声信号をステレオスピーカー１０４、モノラルスピーカー２０１及び楽曲用スピーカーに出力するように制御する。
【００１５】
また、５系統（例えば、Ｒ，Ｌ，Ｒサラウンド、Ｌサラウンド、センタ）の音声信号を取り扱う場合には、それぞれの系統に対応して上記５個のスピーカーを１個ずつ割り当てることができ、ユーザの要求する音質を実現することが可能となる。この場合、５系統の音声信号いずれのスピーカーから出力するかはＣＰＵ１０６により判断され、予め定められたスピーカーに対応する系統が出力される。例えば、楽曲用スピーカーにＲ／Ｌデータ、ステレオスピーカー１０４にＲサラウンド／Ｌサラウンド、モノラルスピーカー２０１にセンタを出力させるように制御する。
【００１６】
次に、映像に係る構成について説明する。カメラ１１１は携帯電話周辺の映像を携帯電話に取り込み、取り込まれた映像信号は、映像データ圧縮部１１２において圧縮され、ＣＰＵ１０６へ出力される。ＣＰＵ１０６は、圧縮された映像信号をメモリ１０９により記憶し、その記憶した映像信号をＲＦユニット１０７を介して通信相手へ送信する。もしくは、圧縮された映像信号をそのままＲＦユニットを介して通信相手へ送信する。
【００１７】
一方、ＲＦユニット１０７より映像信号を含むデータを受信したＣＰＵ１０６は、受信された映像信号をメモリ１０９に記憶し、その記憶した映像信号を映像データ伸張部１１３に出力する。そして、映像データ伸張部１１３は、当該映像信号を伸張して表示部１０８へ出力する。もしくは、受信された映像信号をそのまま映像データ伸張部１１３へ出力する。
【００１８】
携帯電話と人体との距離を測定するための距離センサ２０２は、後述するようにユーザの通話モード等を決定するために用いられるものである。
【００１９】
なお、ＣＰＵ１０６は、前述の処理のほか、操作キー１１０により入力されたキー入力信号等に基づいて携帯電話の全体的な処理を行う。
【００２０】
次に、図１の構成の携帯電話を用いて実際に通話を行う場合を説明する。図に示す携帯電話で使用可能な通話モードとしては、テレビ電話モードと通常通話モードを想定する。テレビ電話モードとは、カメラ１１１で取り込まれた映像を見ながら通話する通話形態であり、例えば、図３（１）のようなデータ構造を介して音声信号と映像信号とを通信する通話形態である。一方、通常通話モードとは、従来の携帯電話を耳をあてて通話を行う通話形態であり、例えば、図３（２）のようなデータ構造で音声信号を通信する通話形態である。この携帯電話は、テレビ電話モードと通常通話モードとを選択できるように構成されており、操作キー１１０に設けられた専用ボタンや表示画面を介した選択手段を用いて各通話モードを選択する。そして、このような選択手段により通話モードを選択すると、その選択した通話モードを示す情報が図３に表すようなヘッダ情報として取り込まれることとなる。
【００２１】
また、音声形式をステレオあるいはモノラルを選択することも可能であり、この場合、ステレオ形式あるいはモノラル形式で出力するかどうかを決定する識別子が、例えばヘッダ情報に付加される。受信した側では、その識別子に基づいてＣＰＵ１０６が、ステレオスピーカー１０４で音声信号を出力するか、あるいはモノラルスピーカー２０１で音声信号を出力するかを決定する。
【００２２】
以下、ユーザＡとユーザＢとが本実施例の携帯電話を保持し（それぞれ携帯電話Ａと携帯電話Ｂとする）、ユーザＡがユーザＢに対して発呼する場合の１例を図２を用いて説明する。
【００２３】
まず、ユーザＡがユーザＢに対してテレビ電話モードでの通話を要求し、ユーザＢがその要求を許可した場合を説明する。テレビ電話モードで通話を希望するユーザＡは、携帯電話Ａの通話モードを操作キー１１０などの選択手段によりテレビ電話モードに設定する（Ｓ２０１）。テレビ電話モードの設定操作がなされると、テレビ電話モードを表す通話モード識別信号「０１」がＣＰＵ１０６を介してメモリ１０９に記憶される（Ｓ２０２）。そして、操作キー１１０により携帯電話Ｂへの発呼指示が入力されると、その発呼指示信号を認識したＣＰＵ１０６は、携帯電話Ｂへの発呼処理を行う（Ｓ２０３）。この際、少なくとも、メモリ１０９に記憶された通話モード識別信号「０１」を携帯電話Ｂへ送信する。
【００２４】
次に、通話モード識別信号「０１」を受信した携帯電話ＢのＣＰＵ１０６は、通話モード識別信号を識別し（Ｓ２０４）、識別された通話モード識別信号の内容、すなわち、着信した通話モードが何であるかを表示部１０８等に対して通知する（Ｓ２０５）。通知手段としては、メモリ１０９に予め記憶された文字メッセージ等で表示部１０８に出力したり、通常通話モードごとに異なる着信音で楽曲用スピーカー２０３により出力するようにするなど、通常通話モードとテレビ電話モードとを区別できるものであればよい。
【００２５】
次に、ユーザＢが操作キー１１０によりテレビ電話モードを選択すると（Ｓ２０６）、その通話モード識別信号「０１」が、携帯電話ＢのＣＰＵ１０６を介してメモリ１０９に記憶されるとともに、メモリ１０９に記憶された通話モード識別信号「０１」が携帯電話Ａに送信される。
【００２６】
次に、携帯電話ＡのＣＰＵ１０６は、ＲＦユニット１０７を介して携帯電話Ｂより受信した通話モード識別信号「０１」をメモリ１０９に記憶し、Ｓ２０２において記憶した通話モード識別信号「０１」と照合する（Ｓ２０７）。ここでは、Ｓ２０２において記憶された通話モード識別信号「０１」とユーザＢより受信した通話モード識別信号「０１」とが同じであるため、ＣＰＵ１０６は、ユーザＡが要求したテレビ通話モードでの通話が許可された旨を表示部１０８に通知し（Ｓ２０８）、通話モード識別信号「０１」が表すテレビ電話モードで通話を行うべく回線を接続する処理を行う（Ｓ２０９）。
【００２７】
テレビ電話モードでの通信においては、携帯電話Ａ及び携帯電話ＢのＣＰＵ１０６は、図３（１）のようなデータフォーマット、すなわち、２個のマイクロホン１０１より入力された音声信号（Ｒ’、Ｌ’）とカメラ１１１より取り込まれた映像信号にメモリ１０９に記憶された通話モード識別信号「０１」をヘッダ情報として付加した状態で通信する（Ｓ２１０）。すなわち、携帯電話Ａでは、マイクロホン１０１により入力され音声データ圧縮部１０２により圧縮されたＲ’データ、Ｌ’データとカメラ１１１により入力され映像データ圧縮手段１１２により圧縮された映像信号とにテレビ電話モードを示す「０１」のヘッダ情報を付加したデータが通信相手に送信される。
【００２８】
一方、通信相手から上記データを受信すると、ＲＦユニット１０７を介して受信されたＲ’データとＬ’データは、音声データ伸張部１０３によりそれぞれＲデータとＬデータに伸張されるとともにアナログ信号に変換され、ステレオスピーカー１０４によってステレオ再生される。この場合、ステレオ形式による通話を表す識別子がヘッダ情報に付加されているものとし、受信側のＣＰＵ１０６は、その識別子に基づいて音声信号をモノラルスピーカー２０１ではなく、ステレオスピーカー１０４へ出力するように制御する。
【００２９】
また、受信した映像信号は、映像データ伸張部１１３において伸張が行なわれて表示部１０８へ出力される。
【００３０】
そして、どちらかのユーザが通話終了指示を行った場合に、回線は切断され、通話は終了となる（Ｓ２１２）。
【００３１】
以上により、２個のマイクロホンより入力された音声信号を２個の通話用のステレオスピーカーで出力するような構成をとることにより、通話音声をステレオ形式で再生することができ、テレビ電話やテレビ会議等において、映像を見ながら臨場感あふれた通話を実現できる。また、通信相手が複数である場合に、発言者が誰でどこから発生しているかを容易に知ることができたり、あるいは、通信相手端末の周りの音の動きを敏感に察知することができる。
【００３２】
前述の実施例は、テレビ電話モードでの通話についてであるが、ユーザＡがユーザＢに対して通常通話モードでの通話を要求し、ユーザＢがその要求を許可した場合においても、上述した処理とほぼ同様の処理がなされる。ここでは、通話モード識別信号が通常通話モードを表す「０２」であり、また、通信のデータフォーマットは、図３（２）のようなフォーマットであり、映像信号の送受信は行わないように処理することが好ましい。
【００３３】
また、前述の実施例では、ユーザＡが要求した通話モードで通話することをユーザＢが許可した場合を考えたが、ユーザＡがテレビ電話モードで通話要求してきたにも係らず、ユーザＢが拒否、すなわち、通常通話モードを選択した場合も考えられる。以下、この場合の処理を説明する。
【００３４】
図２のＳ２０５において、ユーザＢが通常通話モードを選択すると、通話モード識別信号「０２」が携帯電話ＢのＣＰＵ１０６を介してメモリ１０９に記憶されるとともに、メモリ１０９に記憶された通話モード識別信号「０２」を携帯電話Ａに送信する。
【００３５】
一方、携帯電話Ａがこの通話モード識別信号「０２」を受信すると、携帯電話ＡのＣＰＵ１０６は、携帯電話Ｂより受信した通話モード識別信号「０２」をメモリ１０９に記憶するように処理し、Ｓ２０２においてメモリ１０９に記憶しておいた通話モード識別信号「０１」と携帯電話Ｂより受信し記憶した通話モード識別信号「０２」を照合する（Ｓ２０７）。ここでは、Ｓ２０２においてメモリ１０９に記憶しておいた通話モード識別信号「０１」と携帯電話Ｂより受信し記憶した通話モード識別信号「０２」とが異なるため、ユーザＡが要求したテレビ通話モードでの通話が拒否された旨が携帯電話Ａに通知される（Ｓ２１１）。ユーザＡが通常通話モードを許可すれば、該モードによる通話が行われ（Ｓ２１０）、拒否すれば、回線は接続されず、通話は終了となる（Ｓ２１２）。
【００３６】
また、ユーザＡが通常通話モードで通話の要求してきたにも係らず、ユーザＢが拒否、すなわち、テレビ電話モードを選択する場合も同様の処理が行われる。
【００３７】
これまでは、ユーザＡとＢとの通話モードの要求が一致するか否かを判断し、その判断結果に基づいてユーザＡもしくはＢにそのモードでの通信を行うか否かを決定させるやり方であったが、このやり方に限らず、発信者（ユーザＡ）の要求してきた通話モードにかかわらず、着信者（ユーザＢ）が通話モードを決定するようなこともできる。これにより、例えば、発信者がテレビ電話モードを要求してきたとしても、着信者が通常通話モードを選択したなら、強制的に通常通話モードでの通話が開始されるので、自分の映像を送信したくない場合やバッテリ残量が少ない場合に通話モードを通常電話モードに選択することができ、使い勝手が向上する。同様に、発信者が通常通話モードを要求してきたとしても、着信者がテレビ電話モードを選択したなら、強制的にテレビ電話モードでの通話が開始されるので、発信者が誰であるかを確実に知ることができ、不信感なく通話でき、更にいたずら電話の防止などにも役立つ。
【００３８】
上記以外にも、着信者ではなく発信者に決定権を与えることもでき、発信者が選択した通話モードで強制的に通話するようなこともできる。これらの場合においては、図２で示した通話モード識別信号の記憶（Ｓ２０２）や通話モード識別信号の照合（Ｓ２０７）などは不要となることは言うまでもない。
【００３９】
この場合、着信を受けた携帯電話Ｂは、携帯電話Ａが発信する通話モード識別信号の通話モードで通話する処理を行う（Ｓ２１０）。このようにすれば、発信者（ここでは、ユーザＡ）の意図する通話モードで通話できるというメリットがある。
【００４０】
その他、図２のＳ２０８において、ユーザＡが要求したテレビ通話モードでの通話が許可された旨を携帯電話Ａの表示部１０８に通知した後に、本当にテレビ電話モードで通話を開始するか、あるいは通常通話モードに変更するかをユーザＡに選択させるように構成してもよい。
【００４１】
これにより、通知を確認してから次の行動を選択することができるので、ユーザは安心して操作を行うことができ使い勝手がよい。また、例えば、要求した通話モードが拒否された場合であっても、再度電話番号を入力することなく、簡易な操作で通話モードの変更を行うことができるので、非常に便利である。
【００４２】
前述の実施例においては、各通話モードにおいて、音声形式を選択できるようにしたが、例えば、テレビ電話モードならステレオ形式で再生し、通常通話モードならモノラル形式で再生するといったように、通話モード毎に予め設定してもよい。ここで、モノラル形式の場合は、送信側の携帯電話（ＣＰＵ１０６）は、マイクロホン１０１の２個のうち一方のみを動作せるように処理し、例えば、図３（３）に示すように、一方のマイクロホン入力され圧縮されたＲ’データもしくはＬ’データをＲＦユニット１０７を介して通信相手に送信する。
【００４３】
また、上記では、マイクロホン２個のうち一方のみを動作させることを述べたが、マイクロホン１０１の２個とも動作させ、各マイクロホンから入力されるＲ’データ及びＬ’データを組み合わせた（例えば　Ｒ’＋Ｌ’）を、前述の図３（３）のフォーマットを用いて通信相手に送信するように構成しても良い。
【００４４】
更にまた、図１においては、音声データ圧縮部１０２、音声データ伸張部１０３、映像データ圧縮部１１２、音声データ伸張部１１３及び楽曲データ伸張部２０４は別々の構成部として設けたが、これらを１つの構成部として設けてもよいし、ＣＰＵ内でデータの圧縮及び伸張を行わせるようにしても構わない。これにより、回路規模の低減を図ることができる。
【００４５】
また、ここではスピーカーの数はステレオスピーカー１０４が２個、モノラルスピーカー２０１が１個、楽曲用スピーカー２０３が２個と、５個のスピーカーを扱ったが、これに限定されるものではない。例えば、モノラル通話スピーカー２０１が搭載されない場合もあり、このような場合は、後述するような音声信号の出力先のスピーカーを決定するために付加された識別子は必要ではなくなる。
【００４６】
次に、本発明の第２の実施例について説明する。上記実施例ではマイクロホン１０１から入力されたＲデータ及びＬデータをそのまま処理することについて述べたが、特段これに限定されるものでなく、本実施例においては、ＲデータとＬデータの和と差の形で通信を行う場合を説明する。
【００４７】
この場合の処理を以下に説明する。まず、マイクロホン１０１から入力されたＲデータとＬデータは、ＣＰＵ１０６により和の信号（Ｒ＋Ｌ）と差の信号（Ｒ−Ｌ）に変換される。さらに、これらの信号はデータ圧縮部１０２により圧縮され、圧縮データ（Ｒ＋Ｌ）’と（Ｒ−Ｌ）’となり、ＲＦユニット１０７を介して通信相手に送信される。
【００４８】
一方、通信相手から音声信号を受信する場合には、ＲＦユニット１０７を介して受信された圧縮データ（Ｒ＋Ｌ）’と（Ｒ−Ｌ）’は、データ伸張部１０３により（Ｒ＋Ｌ）データと（Ｒ−Ｌ）データに伸張され、その後、ＣＰＵ１０６により元のＲデータとＬデータに戻される。具体的には、（Ｒ＋Ｌ）と（Ｒ−Ｌ）の和をとって２で割ることによってＲデータを得、（Ｒ＋Ｌ）と（Ｒ−Ｌ）の差をとって２で割ることによってＬデータを得る。このようにして得られたＲとＬデータは、アナログ信号に変換され、ステレオスピーカー１０４によって再生が可能となる。
【００４９】
従来より、モノラル通話のときには（Ｒ＋Ｌ）データとして通信されるのが一般的であるため、ステレオ通話を実現する際にも上記のように（Ｒ＋Ｌ）の形態で通信することは既存の設備を利用できるというメリットがある。また、ＲデータとＬデータとが類似するために（Ｒ−Ｌ）がゼロに近似するため、通信コストを低減することができる。
【００５０】
次に、本発明の第３の実施例について説明する。ここでは、ステレオスピーカー１０４によって再生される音声信号の処理の１例を述べる。以下、図４を用いて具体的に説明する。今仮に、図４（２）　のように、車が話者の後ろを左から右へ走行した場合とする。このとき、図４（１）の相手側の携帯電話の表示部１０８には、図４（２）の話者およびその後ろを走行している車が映る。この場合、車の左から右の動きに合わせて、図４（２）の携帯電話は左側から右側へ移動する音を拾うことになり、相対する図４（１）の携帯電話では右側のスピーカーから先に音が再生され、左側のスピーカーへと音が移動しなければ、臨場感は得られない。
【００５１】
そこで、相対して通話する携帯電話の右側のマイクロホンから入った音を、相手の左側のスピーカーから再生し、左側のマイクロホンから入った音を相手の右側のスピーカーから再生するように制御することを以下に説明する。
【００５２】
図３（１）のように、ヘッダ情報「０１」とともに、マイクロホン１０１により入力され音声データ圧縮部１０２により圧縮されたＲ’データ、Ｌ’データ及びカメラ１１１により入力され映像データ圧縮手段１１２により圧縮された映像信号とがＲＦユニット１０７を介して通信相手に送信される。
【００５３】
一方、通信相手からデータを受信する場合に、ＲＦユニット１０７を介して受信された圧縮データＲ’とＬ’は、データ伸張部１０３によりＲデータとＬデータに伸張される。このようにして得られたＲデータとＬデータはアナログ信号に変換され、２個の通話用スピーカー１０４によってステレオ再生が可能となる。この際、ＣＰＵ１０６はＲデータを左側のスピーカー、Ｌデータを右側のスピーカーへ出力するように制御する。
【００５４】
これにより、例えば、通話相手の後ろを車が通過した際、その音声信号の動きに対応して左右のステレオスピーカー１０４で再生することできるようになり、極めて臨場感のある通話を実現できる。
【００５５】
次に、本発明の第４の実施例について説明する。上述した実施例では、着信を受けたときにユーザＢは通話モードを選択できるように構成したが、これに限定されるものではなく、通話中に通話モードを変換するように構成してもよい。
【００５６】
この場合の処理について図５を用いて説明する。例えば、ユーザＡとユーザＢがテレビ電話モードで通話している場合に、ユーザＡが途中で充電残量が気になり、通話モードをテレビ電話モードから通常通話モードに切り換えて欲しいと要求する場合等を想定する。
【００５７】
ユーザＡが、通話中に通常通話モードの専用ボタン等を押下し、通話モードの切り換えを要求すると、通話モード識別信号「０２」は携帯端末ＡのＣＰＵ１０６を介してメモリ１０９に記憶されるとともに、携帯電話Ｂへ通話モード切換要求信号として送信する（Ｓ４１１）。
【００５８】
通話モード切換要求信号を受信した携帯端末Ｂは、受信した通話モード識別信号「０２」をメモリ１０９に記憶するとともに通話モードの切り換えを促す通知を行う（Ｓ４１２）。そして、ユーザＢは切換要求の可否を選択する（Ｓ４１３）。切り換え要求を承諾して、専用ボタン等により通話モードを通常通話モードに設定すると、通話モード識別信号「０２」がＣＰＵ１０６に入力され、通話モード識別信号「０２」を受信したＣＰＵ１０６は、メモリ１０９に記憶された通話モード識別信号「０２」を通話モード切換許可信号として携帯電話Ａに送信する。
【００５９】
通話モード切換許可信号を受信した携帯端末Ａは、ヘッダ情報を「０１」からメモリ１０９に記憶された「０２」に変更し、例えば、図３（２）のようなデータフォーマットで通信できるよう、カメラ１１１の動作を停止させ、カメラ１１１より入力された映像信号を通信しないようにする。これらにより、ユーザＡ及びＢの携帯電話は、ユーザＡの希望通り通常通話モードで通話することができる（Ｓ４１４）。
【００６０】
一方、Ｓ４１３においてユーザＢがユーザＡの通常通話モードへの切り換え要求に応じない場合は、携帯電話Ｂは、図２のＳ２０６において記憶された通話モード識別信号「０１」を携帯電話Ａに通話モード切換拒否信号として送信する。通話モード切換拒否信号を受信した携帯電話Ａは、Ｓ４１１において記憶された通話モード識別信号「０２」と通話モード切り換え拒否信号「０１」とが異なるため、現状のテレビ電話モードのまま通話するように処理される（Ｓ４１４）。
【００６１】
なお、通話モード切換許可信号が設定時間内に受信されない場合においても、通話モード切換拒否信号を受信した場合と同様に、通信相手が希望した通話モードでの通話を拒否したものとして、現状のテレビ電話モードで通話を続行させる処理が行われる。
【００６２】
以上により、音声通話中に残余充電量が少なくなってきた場合や動画の通信状態が悪くなった場合等に、通信相手が許可した場合にはテレビ電話モードから通常通話モードに切り換えることができ、使い勝手の向上が図られる。
【００６３】
なお、同様に、通常通話モードからテレビ電話モードへの変更も可能であることは言うまでもない。これにより、音声通話で通話相手が誰であるかを確認してからテレビ電話モードに切り換えることができ、不本意な通信相手とテレビ電話をすることを防止することができる。
【００６４】
また、Ｓ４１２において、通話モードの変換の意向を通知する手段としては、通話中に通信相手に音声で知らせてもよいが、例えば、図５（２）のように表示部１０８に「通話モードの切り換え要求アリ」と表示するなどして通知しても構わない。この場合、例えば、通話モードの変換を指示するボタンを押下すると、通信相手の携帯電話にその旨を表す信号を送信する。その信号を受信した通信相手の携帯電話では、ＣＰＵ１０６により予めメモリ１０９に記憶されている表示メッセージを表示部１０８に表示するように処理される。これにより、確実に通話モードの変換要求を通信相手に通知することができ、通話に関する使い勝手が向上する。
【００６５】
次に、本発明の第５の実施例について説明する。ここでは、通話用のスピーカーと楽曲用スピーカーとを兼用する例を説明する。構成ブロック図は、図１と同様であるが、ステレオスピーカー１０４が楽曲用スピーカー２０３を兼用するため、楽曲用スピーカー２０３は搭載されていないもの点が異なる。
【００６６】
前述の図１（２）は、ステレオスピーカー１０４と楽曲用スピーカー２０３とが別々に搭載された例を図示したものであったが、この例では、ステレオスピーカー１０４は、テレビ電話モード等の場合にユーザによく音が伝わるように筐体を開いた状態で正面に配置され、一方、楽曲用スピーカー２０３は、図１（４）で示したように、移動時等で携帯電話を閉じた状態であっても、着信音等が聞こえやすいように筐体の裏側に配置されている。しかしながら、本実施例のようにステレオスピーカー１０４が楽曲用スピーカー２０３を兼用する場合は、携帯電話の裏側に配置されていた楽曲用スピーカー２０３は搭載されないため、ステレオスピーカー１０４の配置をそのままにすると、携帯電話を閉じた状態では着信音や楽曲ファイル等の音が遮断されて聞こえづらくなる。そこで、本実施例では、携帯電話を閉じた状態において、着信音等の楽曲ファイルがよく聞こえ、かつ開いた状態においても、通話音声がよく聞こえるように構成することについて説明する。
【００６７】
本実施例のスピーカーの配置例を図７に示す。図７（１）は、本実施例の携帯電話の開いた状態を３次元的に図示したものである。ここでは、図に示すように、表示部１０８を有する筐体を筐体Ａ、表示部１０８を有する面を表示面１１、操作キー１１０を有する筐体を筐体Ｂ、操作キー１１０を有する面を操作面１２と定義する。また、表示面１１と表示面１１と対抗する背面とが繋がる面を側面とよび、筐体Ａの上部から見た側面を上側面１４、筐体Ｂの下部から見た側面を下側面１５、横から見た側面を横側面１３と定義する。なお、ここで、上下左右の方向は図１（３）で定義されたものである。
【００６８】
図７（２）は、ヒンジ部１０を介して閉じた状態の携帯電話の横側面１３を正面として見た図である。ここでは表示部１０８は側面からは実際に見えないので点線で図示している。
【００６９】
図７（１）（２）（３）に示すように、本実施例では、スピーカー１０４の音孔２０を筐体Ａの表示面１１と横側面１３に位置させた。図７（３）は、図７（１）の丸で囲った部分を拡大したものである。ここでいう音孔とは、スピーカーの音源から発生された音声信号を筐体外部へ出力するための孔である。ここでは図示していないが、スピーカーの音源は、筐体Ａ内において音孔からほぼ同じ
距離に配置させるのが好ましい。
【００７０】
このようにスピーカーの音孔を構成すれば、開いた状態では表示面１１の音孔により音を出力できる一方、閉じた状態においても横側面１３等の側面の音孔により音を出力することができる。従って、携帯電話を閉じた状態において、着信音等の楽曲ファイルがよく聞こえ、かつ開いた状態においても、通話音声がよく聞こえるようになる。
【００７１】
図７（４）は、スピーカーの音孔を表示面１１、横側面１３及び上側面１４にまたがるように形成した例である。このように音孔２０を形成すれば、音孔と音孔との間に音源からの音を遮蔽するものがなくなるため、効率よく音源から音を出力することができる。また、上側面１４にも音孔を位置させることで、横側面１３だけでなく上側面１４の音孔からも音が出力するため、閉じた状態における着信音等の聞こえづらさを更に解消することができる。
なお、上記の理由から、図７（３）のように表示面１１と横側面１３とに音孔２０を位置させた例においても、表示面１１と横側面１３に配置されたスピーカーの音孔が繋がるように構成しても構わない。
【００７２】
また、スピーカー１０４の音孔２０の位置は、本実施例に限定されるものではなく、携帯電話が閉じた状態において着信音等がよく聞こえる位置であればよく、例えば、スピーカー１０４が操作キー１１０を有する筐体の下部にある場合等では下側面１５に位置させるようにしてもよい。また、表示面１１と横側面１３の音孔の面積は同じである必要はなく、必要に応じて表示面１１側の音孔の方を大きくしたり、逆に横側面１３側の音孔の方を大きくしても構わない。
【００７３】
本実施例の具体的な処理を図６に示す。ＲＦユニット１０７がデータを受信すると（Ｓ６０１）、ＣＰＵ１０６はそのデータを基に音声通話（電話）であるかデータ通信であるかを判定する（Ｓ６０２）。ＣＰＵ１０６により音声通話と判定されると、ＣＰＵ１０６は、ＲＦユニット１０７を介して受信された音声信号をデータ伸張部１０３により伸張し、ステレオスピーカー１０４によって再生するように処理する（Ｓ６０３）。一方、ＣＰＵ１０６によりデータ通信と判定されると、受信された音声データ信号をメモリ１０９に記憶する（Ｓ６０４）。ＣＰＵ１０６は、記憶された音声データ信号を操作キー１１０の操作を介して再生する指示が入力されたとき、メモリ１０９に記憶された音声データ信号をステレオスピーカー１０４で再生する処理を行う（Ｓ６０５）。
【００７４】
以上により、通話用のスピーカーと楽曲用スピーカーとを兼用することができ、その結果、端末本体の小型化を実現することができるため、消費電力やコストも低減することができる。
【００７５】
なお、本明細書においてデータ通信の形態は、例えば、基地局を介して他の携帯電話等から音声信号を受信したり、ネットワーク（インターネットのホームページ等）を介して音楽、画像あるいは映画等のコンテンツをダウンロードしたり、外部の記録媒体から受信したり、また、赤外線通信ポート等を介して他の情報処理端末から直接受信するといった形態が考えられるのは言うまでもない。
【００７６】
また、上記例では、ＣＰＵ１０６は、いったん音声データ信号をメモリ１０９に記憶してから、再生指示があるまで再生を行わなかったが、例えば、ストリーミング形式のように、メモリ１０９に記憶させながら順々に再生するようにしても構わない。
【００７７】
更にまた、上記受信される音声データ信号の種類は、例えば、着信メロディ、ＭＰ３ファイル、映画、音楽、ゲーム、テレビ番組、コマーシャル、広告、もしくはデジタルカメラ等で撮影された画像情報（動画・静止画）に音声信号が付加されたものなど音楽に関するデータであればなんでもよく、通信形態も有線・無線いずれであっても構わないのは言うまでもない。
【００７８】
次に、本発明の第６の実施例について説明する。本実施例の構成ブロック図は図１と同じである。本実施例は、距離センサ２０２を用いて自動的に通話モード、受話音量及び通話品質等を切り換えるように構成したものである。なお、本実施例では，テレビ電話モードであるなら２個のステレオスピーカー１０４で音声信号を出力し、通常通話モードであるならモノラルスピーカー２０１で音声信号を再生するように構成させているものとする。
【００７９】
図８（１）は、距離とスピーカー音量との関係を示した図である。図８（１）に示すように、モノラルスピーカー２０１の音量は人体から離れるほど減少させ、それに対して、ステレオスピーカー１０４の音量は増大させるように制御する。なお、ここで人体とは、人間もしく物体を表し、特に人の体に限定されるものではないというのは言うまでもない。
図８（２）は、本実施例の具体的な処理を説明した図である。まず、通信相手先の操作キー１１０等を用いて電話番号をダイヤルして通信を開始すると（Ｓ８０１）、距離センサ２０２により人体と端末との距離を測定し（Ｓ８０２）、ＣＰＵ１０６は、その距離に応じて通話モードを決定する（Ｓ８０３）。ＣＰＵ１０６は決定された通話モードに応じて、音声信号の出力先のスピーカーをステレオスピーカー１０４もしくはモノラルスピーカー２０１に設定する（Ｓ８０４）。例えば、ＣＰＵ１０６により通常通話モードと判定されたなら、モノラルスピーカー２０１を音声信号の出力先のスピーカーとして設定し、テレビ電話モードと判定されたなら、ステレオスピーカー１０４を音声信号の出力先のスピーカーとして設定する。その後、ＣＰＵ１０６は、例えば、図８（１）に示したように通信する際のスピーカーの受話音量を調節する（Ｓ８０５）。そうして、通話を行っているユーザのいずれかが通話終了の指示をした場合に通話は終了となる（Ｓ８０６）。
【００８０】
ここで、通話モードは、ある閾値を基準にして決定される。例えば、距離センサ２０２により人体と端末との距離が５ｃｍ未満と測定されると、ユーザが通常通話モードで通話を行っているとＣＰＵ１０６により判定され、一方、５ｃｍ以上と測定されると、テレビ電話モードで通話を行っていると判定される。
【００８１】
以上により、本実施例によれば、センサに基づいて自動的に各通話モードを決定できるので、不必要な入力作業が省略でき、更に、ユーザと携帯電話との距離に応じて自動的に最適な音量レベルに調節されるので、使い勝手がよい。
【００８２】
なお、ここでは閾値を５ｃｍとしたが、特にこれに限定されるものではなく、ユーザ自身が設定可能にしても構わない。この場合、設定されたデータはメモリ１０９に記憶され、ＣＰＵ１７０はこの設定されたデータを参照して、例えば、図８（２）の処理を行うようにすればよい。これにより、ユーザ自らが通話モードを判定するための閾値を設定することができ、使い勝手が向上する。
【００８３】
なお、上述したように自動的に通話モード及び通話音量を調節するモードを「オートモード」として、通常通話モード、テレビ電話モードとともにユーザに選択できるようにしても構わない。選択する手段としては、操作キー１１０に設けられた専用ボタンや表示画面を介した選択手段を用いてオートモードを選択できるようにすればよい。これにより、ユーザが、状況に応じて「オートモード」を選択でき、使い勝手がよい。
【００８４】
さらになお、上記実施例で用いた距離センサ２０２は、赤外線距離センサ、超音波等の他の手段を用いた距離センサ、もしくは光センサを用いても良いというのは言うまでもない。また、正確な距離を検出できるものでなくてもセンサからある大まかな距離に物体が有るか否かを判定できる程度のセンサであっても良く、センサの配置に関しても本実施例に限定されるものではない。
【００８５】
次に、本発明の第７の実施例について説明する。本実施例は、ステレオスピーカー１０４の配置や形状に関するものである。図９にその例を示す。図９（１）は表示部側面であり、かつ筐体内部に配置された例であり、これによれば、端末のスリム化に貢献でき、コストや消費電力を低減できる。図９（２）は筐体から隆起したような形で表示部の左右に配置された例である。この例によれば、図９（１）に比べて表示画面を大きくできるとともに、筐体から隆起した部分を利用して容易に携帯電話を開くことことができる。図９（３）は筐体のコネクタ部を介してスピーカーの向きを変えたり、スライドする部位を介して位置を移動させたりする可動性のあるスピーカー例である。これによれば、ユーザの好みに応じてスピーカーの位置や向きを変更することや、あるいは筐体の開閉と関係なくスピーカーの向きを固定することができる。また、携帯電話の筐体内部にスピーカーを収納可能とするように構成すれば、普段は収納しておき、臨場感ある通話をしたいときに筐体から出して利用することも可能であり、ユーザにとって使い勝手が向上するとともにスピーカーの保護が図れる。図９（４）は、スピーカーが筐体から着脱可能にした例である。この場合、筐体の両側に取り外し可能となるように着脱口を設ける。このようにすれば、通話用スピーカーを取り替えることが容易となり、ユーザの好みに応じたスピーカーで通話することができる。図９（５）は、筐体を開閉するために用いられているヒンジ部にスピーカーを設けている例である。これにより、表示部１０８を図９（１）の場合に比べて大きくすることができるとともに操作キー１１０のスペースをも大きくすることができる。
【００８６】
また、携帯電話の画面は縦に細長いのが一般的であるが、図９（６）のように、携帯電話を横向きにして横長の画面でテレビ電話を行う場合も想定され得る。そのため、このように横向きにした場合に表示部１０８の左右両側にスピーカーが配置されるようにすれば、ワイド感のある画面で、しかも臨場感あふれた音声で通話をするこができる。
【００８７】
なお、図９（１）では表示部側面と記載したが、表示部と厳密に接する必要はなく、また表示部１０８の下側、もしくは図１（２）のように表示部１０８の上側に左右に配置されても構わない。また、図９（１）〜（４）では表示部１０８を有する筐体側にスピーカーが備え付けてられているが、これに限定するものではなく、図９（７）の如く、操作キー１１０を有する筐体側に備えるようにしても構わない。また、前述したように、ステレオ通話を考えると、左右の間隔はある程度空けられている方が広範囲の音を拾うことができるため好ましいので、図９（８）のように、表示部１０８を有する筐体と操作キー１１０を有する筐体の端部にスピーカー１０４を位置させても構わない。このように構成すれば、スピーカーの間隔を十分に確保することが出来、更なる臨場感あふれた通話を実現できる。なお、通常の折り畳み式の携帯電話においては、表示部１０８を有する筐体と操作キー１１０を有する筐体とをほぼ水平に開くことはできない。そのため、図９（８）のように配置されたスピーカー１０４からの音声出力の方向が、表示面及び操作面にほぼ垂直である（図９（９）の点線矢印）と、それぞれのスピーカーから出力される音は拡散しにくくなる。そこで、図９（９）（携帯電話を横側面から見た図）の実線矢印のように、音の出力方向に指向性を持たせて
ユーザに対してほぼ垂直に出力させるようにＣＰＵ１０６に処理させると、より臨場感ある通話が可能となる。また、表示部１０８を有する筐体と操作キー１１０を有する筐体とをほぼ水平に開くように構成してもいいのは言うまでもない。
【００８８】
更にまた、マイクロホン１０１に関して、例えば、着脱口を設けることで着脱可能にし、外付けで高性能のマイクロホンを備え付けられるように構成してもよい。これにより、ユーザの好みに応じてマイクロホンを選択することができる。また、指向性マイクロホンを利用しても構わない。これにより、特定の方向からの音声信号のみを効果的に聞けるようになる。本発明において、マイクロホン１０１は複数個設けられていればよく、配置もしくは形状などに関しても本実施例に限定されるものではないというのは言うまでもない。
【００８９】
また、ヘッドホンジャック１０５にマイクロホンを有するステレオ対応のヘッドホンを接続して通話することも可能である。この場合、通信相手からＲＦユニット１０７を介して受信されたＲ’データとＬ’データは、データ伸張部１０３によりＲデータとＬデータに伸張され、ヘッドホンジャック１０５を介してＲデータはヘッドホンの左側、Ｌデータはヘッドホンの右側に送られる。その結果、ユーザは、マイクロホン付ヘッドホンを利用しても臨場感のある通話をすることが出来る。さらに、マイクロホン付なのでハンズフリーで通話することができ、使い勝手が向上する。
【００９０】
【発明の効果】
以上により、本発明によれば、臨場感ある通話を可能とする携帯電話端末を提供することができる。
【図面の簡単な説明】
【図１】実施例を示すブロック構成ブロック図
【図２】携帯電話の筐体の正面図
【図３】各通話モードに対応したデータ構造図
【図４】第３の実施例の処理図
【図５】第４の実施例の動作図
【図６】第５の実施例の処理図
【図７】第５の実施例の筐体図
【図８】第６の実施例における距離センサ２０２により測定された距離とスピーカー音量との関係図及び処理図
【図９】第７の実施例のスピーカーの図
【符号の説明】
１０１：ステレオ対応のマイクロホン
１０２：データ圧縮部
１０３：データ伸張部
１０４：ステレオスピーカー
１０５：ヘッドホンジャック
１０６：ＣＰＵ
１０７：ＲＦユニット
１０８：表示部
１０９：メモリ
１１０：操作キー
１１１：カメラ
１１２：映像データ圧縮部
１１３：映像データ伸張部
２０１：モノラルスピーカー
２０２：距離センサ
２０３：楽曲用スピーカー
【図１】
2004056408.tif 000003
【図２】
2004056408.tif 000004
【図３】
2004056408.tif 000005
【図４】
2004056408.tif 000006
【図５】
2004056408.tif 000007
【図６】
2004056408.tif 000008
【図７】
2004056408.tif 000009
【図８】
2004056408.tif 000010
【図９】
2004056408.tif 000011